(57)【要約】【課題】店舗における待ち時間に対する顧客の不満を軽減する。【解決手段】特典提供装置１は、店舗に来店した顧客の待ち時間を予測する待ち時間予測部１２２と、予測された待ち時間に利用可能な特典であって、顧客が有する携帯端末にて利用可能な特典を顧客に提供する特典提供部１２５と、を有する。待ち時間予測部１２２は、顧客の来店理由を示す情報に基づいて、待ち時間を予測する。特典提供部１２５は、特典として動画又は音楽の視聴サービスを提供する。【選択図】図２
2020140734.tif 000002
【特許請求の範囲】
【請求項１】
店舗に来店した顧客の待ち時間を予測する予測部と、
予測された前記待ち時間に利用可能な特典であって、前記顧客が有する携帯端末にて利用可能な特典を提供する提供部と、
を有する特典提供システム。
【請求項２】
前記予測部は、前記顧客の来店理由を示す情報に基づいて、前記待ち時間を予測する、
請求項１に記載の特典提供システム。
【請求項３】
前記提供部は、前記特典として動画又は音楽の視聴サービスを提供する、
請求項1又は２記載の特典提供システム。
【請求項４】
前記提供部は、前記特典として、データ通信の無料サービス、又は有料アプリケーションの無料利用サービスを提供する、
請求項１又は２記載の特典提供システム。
【請求項５】
前記顧客を識別するための顧客識別情報を取得する取得部をさらに有し、
前記提供部は、前記取得部により取得した顧客識別情報に応じた前記特典を提供する、
請求項１から４のいずれか１項に記載の特典提供システム。
【請求項６】
前記取得部により取得した前記顧客識別情報に基づいて、前記顧客が使用する携帯端末に係るサービスの利用状況を特定する特定部をさらに有し、
前記提供部は、前記特定部により特定された前記サービスの利用状況に応じた前記特典を提供する、
請求項５に記載の特典提供システム。
【請求項７】
前記特定部は、前記顧客の前記携帯端末に係るサービスの契約状況を示す情報を特定し、
前記提供部は、特定された前記サービスの利用状況と前記サービスの契約状況とに応じた前記特典を提供する、
請求項６に記載の特典提供システム。
【請求項８】
前記提供部は、複数の前記特典の中から前記顧客により選択された前記特典を提供する、
請求項１から７のいずれか1項に記載の特典提供システム。
【請求項９】
前記提供部は、複数の前記特典を異なるタイミングで前記顧客に提供する、
請求項１から８のいずれか１項に記載の特典提供システム。
【請求項１０】
前記提供部は、予測された前記待ち時間が経過しても前記顧客が待ち状態である場合に、前記顧客に提供する前記特典を追加する、
請求項１から９のいずれか１項に記載の特典提供システム。
【請求項１１】
前記提供部は、予測された前記待ち時間と、前記特典との関係を示す情報を前記顧客に通知する、
請求項１から１０のいずれか１項に記載の特典提供システム。
【請求項１２】
前記提供部は、前記店舗から所定範囲外において無効となる前記特典を提供する、
請求項１から１１のいずれか１項に記載の特典提供装置。
【請求項１３】
店舗に来店した顧客の待ち時間を予測する予測部と、
予測された前記待ち時間に利用可能な特典であって、前記顧客が有する携帯端末にて利用可能な特典を提供する提供部と、
を有する特典提供装置。
【請求項１４】
店舗に来店した顧客の待ち時間を予測するステップと、
予測された前記待ち時間に利用可能な特典であって、前記顧客が有する携帯端末にて利用可能な特典を提供するステップと、
を有する特典提供方法。
【発明の詳細な説明】
【技術分野】
【０００１】
本発明は、特典提供システム、特典提供方法及び特典提供装置に関する。
【背景技術】
【０００２】
従来、顧客が店舗に来店したことに応じて、当該顧客に特典を提供することが行われている（例えば、特許文献１を参照）。
【先行技術文献】
【特許文献】
【０００３】
【特許文献１】特開２００２−２６００９６号公報
【発明の概要】
【発明が解決しようとする課題】
【０００４】
顧客の来店時に特典を提供することにより、顧客の来店頻度を高めることができる。しかしながら、サービスを提供するまでに待ち時間が発生する店舗においては、来店時に特典を提供することにより一時的に顧客を満足させることができるものの、待ち時間が長くなるにしたがって顧客に不満を抱かせてしまうという問題が生じていた。
【０００５】
そこで、本発明はこれらの点に鑑みてなされたものであり、店舗における待ち時間に対する顧客の不満を軽減することができる特典提供システム、特典提供方法及び特典提供装置を提供することを目的とする。
【課題を解決するための手段】
【０００６】
本発明の第１の態様に係る特典提供システムは、店舗に来店した顧客の待ち時間を予測する予測部と、予測された前記待ち時間に利用可能な特典であって、前記顧客が有する携帯端末にて利用可能な特典を提供する提供部と、を有する。
【０００７】
前記予測部は、前記顧客の来店理由を示す情報に基づいて、前記待ち時間を予測してもよい。
前記提供部は、前記特典として動画又は音楽の視聴サービスを提供してもよい。
前記提供部は、前記特典として、データ通信の無料サービス、又は有料アプリケーションの無料利用サービスを提供してもよい。
【０００８】
前記特典提供システムは、前記顧客を識別するための顧客識別情報を取得する取得部をさらに有し、前記提供部は、前記取得部により取得した顧客識別情報に応じた前記特典を提供してもよい。
前記特典提供システムは、前記取得部により取得した前記顧客識別情報に基づいて、前記顧客が使用する携帯端末に係るサービスの利用状況を特定する特定部をさらに有し、前記提供部は、前記特定部により特定された前記サービスの利用状況に応じた前記特典を提供してもよい。
【０００９】
前記特定部は、前記顧客の前記携帯端末に係るサービスの契約状況を示す情報を特定し、前記提供部は、特定された前記サービスの利用状況と前記サービスの契約状況とに応じた前記特典を提供してもよい。
前記提供部は、複数の前記特典の中から前記顧客により選択された前記特典を提供してもよい。
【００１０】
前記提供部は、複数の前記特典を異なるタイミングで前記顧客に提供してもよい。
前記提供部は、予測された前記待ち時間が経過しても前記顧客が待ち状態である場合に、前記顧客に提供する前記特典を追加してもよい。
【００１１】
前記提供部は、予測された前記待ち時間と、前記特典との関係を示す情報を前記顧客に通知してもよい。
前記提供部は、前記店舗から所定範囲外において無効となる前記特典を提供してもよい。
【００１２】
本発明の第２の態様に係る特典提供装置は、店舗に来店した顧客の待ち時間を予測する予測部と、予測された前記待ち時間に利用可能な特典であって、前記顧客が有する携帯端末にて利用可能な特典を提供する提供部と、を有する。
【００１３】
本発明の第３の態様に係る特典提供方法は、店舗に来店した顧客の待ち時間を予測するステップと、予測された前記待ち時間に利用可能な特典であって、前記顧客が有する携帯端末にて利用可能な特典を提供するステップと、を有する。
【発明の効果】
【００１４】
本発明によれば、店舗における待ち時間に対する顧客の不満を軽減することができるという効果を奏する。
【図面の簡単な説明】
【００１５】
【図１】本実施形態に係る特典提供システムの概要を示す図である。
【図２】本実施形態に係る特典提供装置の構成を示す図である。
【図３】本実施形態に係る特典リストが発券装置に表示された例を示す図である。
【図４】本実施形態に係る発券装置にバーコード画像が表示された例を示す図である。
【図５】本実施形態に係る特典提供ページの一例を示す図である。
【図６】本実施形態に係る特典の提供に係る処理の流れを示すシーケンス図である。
【発明を実施するための形態】
【００１６】
［特典提供システムＳの概要］
図１は、本実施形態に係る特典提供システムＳの概要を示す図である。特典提供システムＳは、特典提供装置１と、発券装置２と、カード３と、携帯端末４とを備え、店舗に来店した顧客に特典を提供するためのシステムである。なお、本実施形態において、顧客は、所定の通信事業者により提供される携帯電話回線を利用する携帯端末４のユーザ、又は携帯端末４を所持しておらず、携帯端末４の新規契約等を行う顧客である。
【００１７】
携帯端末４のユーザには、ユーザを識別するユーザＩＤが所定の通信事業者により付与されている。ユーザＩＤは、例えば、携帯端末４に記憶されており、店舗において顧客を識別する顧客識別情報として用いられる。また、ユーザＩＤは、ユーザが所持するカード３に記憶されている。ここで、カード３は、所定の通信事業者により提供されるプリペイドカードやクレジットカードであり、ユーザの申請に応じてユーザに提供される。
【００１８】
特典提供システムＳにおいて、発券装置２は、来店した顧客の操作に応じて店舗における順番待ちの順番を示す番号札を発券する。発券装置２は、番号札を発券すると、番号札を発券したことを示す発券情報を特典提供装置１に送信する（図１の（１））。特典提供装置１は、発券情報を受信したことに応じて、顧客の待ち時間を予測する（図１の（２））。
【００１９】
顧客が携帯端末４のユーザである場合、顧客は、自身が所持するカード３又は携帯端末４を発券装置２に近接させて、カード３に記憶されているユーザＩＤ又は携帯端末４に記憶されているユーザＩＤを発券装置２に読み取らせる。
【００２０】
発券装置２は、ユーザＩＤを読み取ると、当該ユーザＩＤを特典提供装置１に送信する（図１の（３））。特典提供装置１は、ユーザＩＤを受信したことに応じて、所定の通信事業者により提供される携帯端末４に係るサービスの利用状況を特定する（図１の（４））。
【００２１】
特典提供装置１は、予測した待ち時間と特定したサービスの利用状況とに基づいて特典を選択し（図１の（５））、選択した特典を示す特典情報を発券装置２に表示させる（図１の（６））。顧客は、携帯端末４を用いて発券装置２に表示されている特典情報を読み取り、特典の提供を受ける（図１の（７））。
【００２２】
このようにすることで、顧客は、携帯端末４に係るサービスの利用状況と店舗における待ち時間とに基づいて顧客に適した特典を受けることができる。よって、特典提供装置１は、店舗における待ち時間に対する顧客の不満を軽減することができる。
以下、特典提供装置１の構成について説明する。
【００２３】
［特典提供装置１の構成例］
図２は、本実施形態に係る特典提供装置１の構成を示す図である。
特典提供装置１は、記憶部１１と、制御部１２とを備える。
【００２４】
記憶部１１は、例えば、ＲＯＭ（Read Only Memory）及びＲＡＭ（Random Access Memory）等である。記憶部１１は、特典提供装置１を機能させるための各種プログラムを記憶する。例えば、記憶部１１は、特典提供装置１の制御部１２を、後述する取得部１２１、待ち時間予測部１２２、特定部１２３、特典選択部１２４、及び特典提供部１２５として機能させる特典提供プログラムを記憶する。
【００２５】
制御部１２は、例えばＣＰＵ（Central Processing Unit）である。制御部１２は、記憶部１１に記憶されている各種プログラムを実行することにより、特典提供装置１に係る機能を制御する。制御部１２は、特典提供プログラムを実行することにより、取得部１２１、待ち時間予測部１２２、特定部１２３、特典選択部１２４、及び特典提供部１２５として機能する。
【００２６】
取得部１２１は、発券装置２から番号札が発券されたことを示す発券情報を取得する。具体的には、発券装置２は、自身の表示部に、来店理由に対応する番号を選択する選択ボタンと、番号札の発券を受け付ける発券ボタンとを表示させる。発券装置２は、選択ボタンと発券ボタンとが押下されたことに応じて、番号札を発券するとともに、番号札を発券したことを示す発券情報を特典提供装置１に送信する。ここで、発券情報には、来店理由を示す情報が含まれている。取得部１２１は、発券情報を受信することにより、当該発券情報に含まれている来店理由を示す情報を取得する。
【００２７】
また、取得部１２１は、発券装置２を介して、店舗に来店した携帯端末４のユーザを識別するユーザＩＤを取得する。具体的には、発券装置２は、ＮＦＣ（Near Field Communication）やＢｌｕｅｔｏｏｔｈ（登録商標）により近距離無線通信を行う近距離無線通信部を備えている。発券装置２は、携帯端末４又はカード３が近接したことに応じて、近距離無線通信部により、携帯端末４又はカード３からユーザＩＤを読み取る。発券装置２は、読み取ったユーザＩＤを特典提供装置１に送信する。取得部１２１は、発券装置２から送信されたユーザＩＤを受信することにより、当該ユーザＩＤを取得する。
【００２８】
なお、発券装置２が来店理由として新規契約を示す情報を取得した場合、顧客は新規顧客であり、ユーザＩＤが付与されていない。この場合において、発券装置２は、新規顧客用のＩＤ（ゲストＩＤ）をユーザＩＤとして発行してもよい。そして、取得部１２１は、発券装置２が発見したユーザＩＤを取得してもよい。
【００２９】
待ち時間予測部１２２は、取得部１２１が発券情報を取得すると、店舗における顧客の待ち時間を予測する。具体的には、待ち時間予測部１２２は、店舗において顧客対応を行っている従業員の数と、店舗における対応窓口の数と、現時点において待ち状態の他の顧客の数とに基づいて顧客の待ち時間を予測する。
【００３０】
また、複数の従業員のそれぞれが、複数の来店理由のうち、一部の来店理由の顧客応対を担当する場合、待ち時間予測部１２２は、発券情報に含まれている来店理由を示す情報に基づいて、顧客に応対可能な従業員の数と、店舗における対応窓口の数と、当該従業員が応対予定の他の顧客の数とを特定してもよい。そして、待ち時間予測部１２２は、当該他の顧客の来店理由に対応する標準応対時間と、従業員の数と、対応窓口の数と、に基づいて、顧客の待ち時間を予測してもよい。
【００３１】
特定部１２３は、ユーザＩＤに基づいて、顧客の携帯端末４に係るサービスの利用状況を特定する。例えば、携帯端末４に係るサービスを提供する外部サーバには、ユーザＩＤと、顧客のサービスの利用状況を示す利用状況情報とが関連付けられて記憶されている。ここで、利用状況情報には、顧客が過去に利用したサービス又は現在利用しているサービスのサービス名、当該サービスが属するカテゴリ、当該サービスの利用時間、当該サービスに対応する顧客のデータ通信量を示す情報が含まれている。
【００３２】
また、利用状況情報には、顧客が店舗に来店した回数、来店理由、及び来店時の対応状況を含む来店情報が含まれる。また、利用状況情報には、顧客が携帯端末４に係るサービスを介して購入した商品に係る購入履歴、当該サービスにおいて付与されているポイントの残高、及び利用履歴を示す情報が含まれる。
【００３３】
特定部１２３は、取得されたユーザＩＤを当該外部サーバに送信し、利用状況情報の取得を要求する。そして、特定部１２３は、当該外部サーバから、当該ユーザＩＤに関連付けられている利用状況情報を取得することにより、顧客の携帯端末４に係るサービスの利用状況を特定する。
【００３４】
なお、特定部１２３は、取得されたユーザＩＤが新規顧客用のＩＤである場合には、サービスの利用状況として、サービスの利用が無いことを特定する。
【００３５】
特典選択部１２４は、待ち時間予測部１２２により予測された待ち時間の長さと、特定部１２３により特定されたサービスの利用状況とに基づいて特典を選択する。ここで、特典は、例えば、動画又は音楽の無料視聴サービス、データ通信の無料サービス、有料アプリケーションの無料利用サービス、電話無料サービス、ポイント付与である。
【００３６】
具体的には、特典選択部１２４は、特定部が取得した利用状況情報に基づいて、顧客が頻繁に利用している有料サービスを特定し、当該有料サービスを、予測された待ち時間に対応する時間だけ無料で利用できる特典を選択する。例えば、特典選択部１２４は、顧客が従量課金制の動画視聴サービスを利用している場合、待ち時間に対応した時間だけ当該動画視聴サービスを無料で利用できる特典を選択する。
【００３７】
また、特典選択部１２４は、携帯端末４におけるデータ通信量が所定量以上である場合には、待ち時間に対応した時間だけデータ通信を無料で利用できる特典を選択する。また、特典選択部１２４は、顧客がサービスを利用する時間が所定時間以内である場合には、当該顧客がサービスの利用に興味を抱いていないと判定し、待ち時間に対応する量のポイントを特典として選択する。
【００３８】
また、特典選択部１２４は、利用状況情報が示す商品の購入履歴に基づいて、顧客が興味を持つ商品を推定し、当該商品を特典として選択する。例えば、商品の購入履歴として、現在使用している携帯端末４が含まれている場合には、当該携帯端末４に対応する商品（例えば、携帯端末４の保護部材等）を特典として選択する。このようにすることで、特典提供装置１は、顧客が興味を持つ特典を精度良く選択することができる。
【００３９】
また、特典選択部１２４は、利用状況情報が示すポイントの残高、及び利用履歴に基づいて、顧客がポイントを貯めてから利用する顧客であるか否かを判定する。ポイントを貯めてから利用する顧客である場合には、ポイントが特典であることに興味を持つと考えられることから、特典選択部１２４は、顧客がポイントを貯めてから利用する顧客であると判定した場合、ポイントを特典として選択する。このようにすることで、特典提供装置１は、顧客が興味を持つ特典を精度良く選択することができる。
【００４０】
また、特典選択部１２４は、利用状況情報に含まれる来店情報に基づいて、顧客が前回来店した際において、従業員が顧客対応を行ったか否かを特定してもよい。そして、特典選択部１２４は、顧客の前回来店時に従業員が対応できなかった場合、すなわち、顧客が待たずに帰った場合には、特典を増加させるようにしてもよい。このようにすることで、特典提供装置１は、顧客が応対まで待つ可能性を高めることができる。
【００４１】
また、特典選択部１２４は、取得部１２１が取得したユーザＩＤが新規顧客用のＩＤであり、特定部１２３がサービスの利用状況として、サービスの利用が無いことを特定した場合には、待ち時間に対応する量の所定の特典を選択してもよい。ここで、所定の特典は、例えば、新規契約時の割引クーポンである。このようにすることで、特典提供装置１は、提供される割引クーポンに新規顧客が魅力を感じ、新規契約する可能性を高めることができる。
【００４２】
特典選択部１２４は、待ち時間の長さと、サービスの利用状況とに基づいて、複数の特典を選択してもよい。そして、特典選択部１２４は、選択した複数の特典の中から顧客に提供する特典を顧客に選択させるための特典リストを生成してもよい。
【００４３】
そして、特典選択部１２４は、当該特典リストを発券装置２に表示させて、顧客から、特典リストに含まれる複数の特典の中から特典の選択を受け付けることにより、当該顧客に提供する特典を選択してもよい。図３は、本実施形態に係る特典リストが発券装置２に表示された例を示す図である。図３には、特典リストとして、特典Ａ〜特典Ｃが表示され、顧客がいずれか１つの特典を選択できることが確認できる。このようにすることで、特典提供装置１は、顧客に適した特典を提供することができる。
【００４４】
また、特典選択部１２４は、取得部１２１により取得された顧客の来店理由を示す情報にさらに基づいて特典を選択してもよい。例えば、来店理由が、店舗の売り上げに対する貢献度が高い来店理由である場合には、他の来店理由に比べて、提供する特典の量を多くするようにしてもよい。
【００４５】
また、特典選択部１２４は、所定の通信事業者が提供するサービスの、顧客の契約状況にさらに基づいて特典を選択してもよい。この場合において、例えば、記憶部１１は、ユーザＩＤと、顧客の携帯端末４に係るサービスの契約状況を示す情報とを関連付けて記憶する。そして、特定部１２３が、記憶部１１を参照し、取得部１２１により取得されたユーザＩＤに関連付けられているサービスの契約状況を特定する。特典選択部１２４は、特定部１２３により特定された顧客の契約状況にさらに基づいて特典を選択する。
【００４６】
例えば、特典選択部１２４は、顧客が契約していないサービスを特定し、当該サービスの無料利用を特典として選択してもよい。このようにすることで、顧客が契約していないサービスを顧客に利用させて、当該サービスに対する顧客の関心を高めることができる。これにより、特典提供装置１は、当該顧客が当該サービスの利用契約を行う確率を高めることができる。
【００４７】
また、特典選択部１２４は、顧客の属性にさらに基づいて特典を選択してもよい。ここで、顧客の属性は、例えば、顧客の年齢、性別、趣味、趣向である。この場合において、例えば、記憶部１１は、ユーザＩＤと、顧客の属性を示す属性情報とを関連付けて記憶する。そして、特定部１２３が、記憶部１１を参照し、取得部１２１により取得されたユーザＩＤに関連付けられている属性情報を特定する。特典選択部１２４は、特定部１２３により特定された属性情報にさらに基づいて特典を選択する。
【００４８】
例えば、記憶部１１に、属性情報と、提供する特典を示す情報とを関連付けて記憶させておき、特典選択部１２４は、特定した顧客の属性情報に関連付けられている特典を示す情報に基づいて、特典を選択する。このようにすることで、特典提供装置１は、顧客に適した特典を選択することができる。
【００４９】
特典提供部１２５は、特典選択部１２４により選択された特典を顧客に提供する。例えば、特典提供部１２５は、顧客が選択された特典の提供を受けるための特典提供ページのアドレスを含む２次元バーコードのバーコード画像を生成し、当該バーコード画像を発券装置２に表示させる。図４は、本実施形態に係る発券装置２にバーコード画像が表示された例を示す図である。図４は、図３に示す特典リストにおいて特典Ｃが選択された場合に対応する画面例である。
【００５０】
顧客が、携帯端末４に当該バーコード画像を読み取らせると、携帯端末４は、-バーコード画像が示すアドレスに基づいて特典提供ページを表示する。図５は、本実施形態に係る特典提供ページの一例を示す図である。図５では、特典として５０ポイントが顧客に提供されたことを確認できる。
【００５１】
また、特典提供部１２５は、携帯端末４がバーコード画像を読み取り、特典提供ページにアクセスすることにより顧客に特典を提供したが、これに限らない。例えば、特典提供部１２５は、ショートメッセージサービス（SMS：Short Message Service）や電子メールやメッセンジャーサービスにより、特典提供ページのアドレスを通知してもよい。また、特典提供部１２５は、発券装置２に特典提供ページのアドレスを示す情報を送信し、携帯端末４に、発券装置２から、ＮＦＣにより特典提供ページのアドレスを示す情報を読み取らせてもよい。また、特典提供部１２５は、特典がポイントやクーポンである場合に、顧客に特典を提供した後に、顧客に特典を提供したことを示すメッセージを顧客に通知するようにしてもよい。
【００５２】
また、特典提供部１２５は、選択された特典の種類に基づいて、異なるタイミングで当該特典を顧客に提供してもよい。例えば、特典提供部１２５は、特典がポイントやクーポンといった商品等の購入時に用いるものである場合には、待ち時間が経過した後又は従業員が応対を行った後に特典を提供し、動画や音楽の無料視聴サービスである場合、発券時に特典を提供してもよい。このようにすることで、特典提供装置１は、ポイントやクーポンといった特典を得ることのみを目的として顧客が繰り返し来店することを抑制することができる。
【００５３】
また、特典提供部１２５は、店舗から所定範囲外において無効となる特典を提供してもよい。例えば、特典が動画又は音楽の無料視聴サービスである場合、当該特典が、店舗に設置された無線ＬＡＮのアクセスポイントを介してのみ当該サービスが提供されるものであってもよい。このように特典を提供することにより、特典提供装置１は、動画又は音声の無料視聴といった特典が店舗外で利用されることを防止することができる。
【００５４】
また、特典選択部１２４が、顧客に提供する特典を複数選択し、特典提供部１２５が、選択された複数の特典を異なるタイミングで顧客に提供してもよい。例えば、特典選択部１２４は、特典として所定ポイントを付与する特典を複数選択し、当該複数の特典を、待ち時間が所定時間経過するごとに１つずつ提供してもよい。このようにすることで、顧客は、待ち時間が経過すればするほど特典を得ることができる。これにより、特典提供装置１は、待ち時間の経過に対する顧客の不満をさらに軽減することができる。
【００５５】
また、特典提供部１２５は、予測された待ち時間が経過しても顧客が待ち状態である場合に、提供する特典を追加してもよい。例えば、特典提供部１２５が、顧客の待ち時間が１時間である場合に、動画を１時間無料視聴できる特典を提供したとする。この場合において、１時間経過したにもかかわらず顧客が待ち状態であると判定すると、動画を１０分無料視聴できる特典を追加して顧客に提供する。このようにすることで、特典提供装置１は、顧客が予測された待ち時間を超えて待つ場合であっても、特典を提供し続けて当該顧客の不満を軽減することができる。
【００５６】
なお、予測された待ち時間が経過しても顧客が待ち状態である場合に、待ち時間予測部１２２が、待ち時間を再予測してもよい。そして、特典提供部１２５が、提供する特典を追加するとともに、予測した待ち時間を合わせて通知してもよい。このようにすることで、顧客が特典を追加して得ることに対するモチベーションを高め、顧客の不満をさらに軽減することができる。
【００５７】
また、特典提供部１２５は、待ち時間と、特典との関係を示す情報を顧客に通知するようにしてもよい。例えば、特典提供部１２５は、単位時間当たりに提供される特典の量を示す情報を発券装置２に表示させることにより、待ち時間と、特典との関係を顧客に通知してもよい。このようにすることで、特典提供装置１は、待ち時間が長くなればなるほど提供される特典の量が増加することを顧客に認識させ、待ち時間が長くなることによる顧客の不満を抑制することができる。
【００５８】
［特典の提供に係る処理の流れ］
続いて、特典の提供に係る処理の流れについて説明する。図６は、本実施形態に係る特典の提供に係る処理の流れを示すシーケンス図である。
【００５９】
まず、顧客は、来店時に発券装置２を操作し、来店理由を選択し、発券ボタンを押下する。発券装置２は、来店理由を示す情報を含む発券情報を特典提供装置１に送信する（Ｓ１０）。また、顧客は、携帯端末４を発券装置２の近距離無線通信部に近接させることにより、発券装置２にユーザＩＤを読み取らせる（Ｓ２０）。ここで、発券装置２は、来店理由を示す情報が新規契約である場合には、新規顧客用のＩＤをユーザＩＤとして取得する。発券装置２は、読み取ったユーザＩＤを特典提供装置１に送信する（Ｓ３０）。
【００６０】
待ち時間予測部１２２は、取得部１２１が発券情報を取得すると、店舗において顧客対応を行っている従業員の数と、現時点において待ち状態である他の顧客の数とに基づいて顧客の待ち時間を予測する（Ｓ４０）。
【００６１】
特定部１２３は、取得部１２１がユーザＩＤを取得すると、当該ユーザＩＤに基づいて携帯端末４に係るサービスの利用状況を特定する（Ｓ５０）。
特典選択部１２４は、予測された待ち時間及び特定されたサービスの利用状況に基づいて、特典リストを生成し（Ｓ６０）、当該特典リストを発券装置２に送信する（Ｓ７０）。
【００６２】
発券装置２は、特典提供装置１から受信した特典リストを表示し、顧客から特典の選択を受け付ける（Ｓ８０）。発券装置２は、選択された特典を提供するための特典提供ページのアドレスを含む二次元バーコードを表示する（Ｓ９０）。
【００６３】
顧客が携帯端末４を操作し、表示された二次元バーコードを読み取ると（Ｓ１００）、当該二次元バーコードに含まれるアドレスに基づいて特典提供ページにアクセスし、特典を受け取る（Ｓ１１０）。
【００６４】
［本実施形態における効果］
以上の通り、本実施形態に係る特典提供装置１は、店舗に来店した顧客の待ち時間を予測するとともに、顧客の携帯端末に係るサービスの利用状況を特定する。そして、特典提供装置１は、予測された待ち時間の長さと特定されたサービスの利用状況とに基づいて特典を選択し、選択された特典を顧客に提供する。このようにすることで、特典提供装置１は、店舗における待ち時間に対する顧客の不満を軽減することができる。
【００６５】
以上、本発明を実施形態を用いて説明したが、本発明の技術的範囲は上記実施形態に記載の範囲には限定されない。上記実施形態に、多様な変更又は改良を加えることが可能であることが当業者に明らかである。また、特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００６６】
例えば、上述の実施形態において、特典提供装置１は、番号札の発券時に、所定の通信事業者により付与されているユーザＩＤを取得し、当該ユーザＩＤに基づいて顧客の携帯端末４に係るサービスの利用状況を特定したが、これに限らない。特典提供装置１は、顧客が所持するカード３を識別するカード番号等の、顧客を識別可能な情報を取得し、当該情報に基づいて、顧客の携帯端末４に係るサービスの利用状況を特定してもよい。また、この場合において、特典提供装置１は、カード３の利用履歴を顧客の携帯端末４に係るサービスの利用状況として特定してもよい。
【００６７】
また、上述の実施形態では、特典提供システムＳが、特典提供装置１と発券装置２とを備えることとしたが、これに限らない。特典提供システムＳは、特典提供装置１のみを備え、特典提供装置１が発券装置２の全ての機能を有していてもよい。
【００６８】
また、上述の実施形態では、特典提供装置１が備える待ち時間予測部１２２が顧客の待ち時間を予測するとともに、特典選択部１２４が顧客に提供する特典を選択したが、これに限らない。顧客の待ち時間を予測する待ち時間予測部１２２と、顧客に提供する特典を選択する特典選択部１２４とを異なる装置によって実現するようにしてもよい。
【符号の説明】
【００６９】
１・・・特典提供装置、１１・・・記憶部、１２・・・制御部、１２１・・・取得部、１２２・・・待ち時間予測部、１２３・・・特定部、１２４・・・特典選択部、１２５・・・特典提供部、２・・・発券装置、３・・・カード、４・・・携帯端末、Ｓ・・・特典提供システム
【図１】
2020140734.tif 000003
【図２】
2020140734.tif 000004
【図３】
2020140734.tif 000005
【図４】
2020140734.tif 000006
【図５】
2020140734.tif 000007
【図６】
2020140734.tif 000008